(57)【要約】【課題】商品識別番号を利用者が書き込むことができるＲＦＩＤタグを用いて商品の真贋を判定すること。【解決手段】商品識別番号が記録されるＲＦＩＤタグ１４が取り付けられる出荷商品１２を出荷するときに、出荷商品１２に関する出荷データを生成し、商品識別番号に出荷データが対応するように、商品識別番号集合３４の要素を出荷データ集合３５の要素に対応付ける出荷データテーブル２６を更新する出荷管理サーバ２と、入荷日時に入荷された入荷商品に取り付けられるＲＦＩＤタグ１７に記録される検索商品識別番号を出荷管理サーバ２に送信する入荷管理サーバ３とを備えている。出荷管理サーバ２は、検索商品識別番号を入荷管理サーバ３から受信したときに、出荷データテーブル２６から検索商品識別番号を検索した検索結果を入荷管理サーバ３に送信する。入荷管理サーバ３は、検索結果に基づいて商品の真贋を判定する。【選択図】図２
2008234537.tif 000002
【特許請求の範囲】
【請求項１】
商品識別番号が記録されるＲＦＩＤタグが取り付けられる出荷商品を出荷するときに、前記出荷商品に関する出荷データを生成し、前記商品識別番号に前記出荷データが対応するように、商品識別番号集合の要素を出荷データ集合の要素に対応付ける出荷データテーブルを更新する出荷管理サーバと、
入荷日時に入荷された入荷商品に取り付けられるＲＦＩＤタグに記録される検索商品識別番号を出荷管理サーバに送信する入荷管理サーバとを具備し、
前記出荷管理サーバは、前記検索商品識別番号を前記入荷管理サーバから受信したときに、前記出荷データテーブルから前記検索商品識別番号を検索した検索結果を前記入荷管理サーバに送信し、
前記入荷管理サーバは、前記検索結果に基づいて前記商品の真贋を判定する
偽造商品検知システム。
【請求項２】
商品識別番号が記録されるＲＦＩＤタグが取り付けられる商品を出荷するときに、前記商品に関する出荷データを生成する出荷データ生成部と、
前記商品識別番号に前記出荷データが対応するように、商品識別番号集合の要素を出荷データ集合の要素に対応付ける出荷データテーブルを更新する出荷データ格納部と、
検索商品識別番号を入荷管理サーバから受信するネットワーク通信部とを備え、
前記出荷データ格納部は、前記出荷データテーブルから前記検索商品識別番号を検索した検索結果を生成し、
前記ネットワーク通信部は、前記検索結果を前記入荷管理サーバに送信する
出荷管理サーバ。
【請求項３】
請求項２において、
前記検索結果は、前記出荷データ集合のうちの前記検索商品識別番号に対応する検索出荷データの有無を示す
出荷管理サーバ。
【請求項４】
請求項２において、
前記検索結果は、前記出荷データ集合のうちの前記検索商品識別番号に対応する検索出荷データを示し、
前記出荷データは、
前記商品が出荷された出荷場所と、
前記商品が出荷された出荷日時とを示す
出荷管理サーバ。
【請求項５】
請求項２において、
前記出荷データテーブルは、前記商品識別番号集合の要素に第１情報または第２情報のうちの一方を更に対応付け、
前記検索結果は、前記第１情報または前記第２情報のうちの前記検索商品識別番号に対応する一方を示し、
前記出荷データ格納部は、
前記商品を出荷するときに、前記商品識別番号に前記第２情報が対応するように、前記出荷データテーブルを更新し、
前記商品識別番号集合から前記検索商品識別番号を検索したときに、前記検索商品識別番号に前記第１情報が対応するように、前記出荷データテーブルを更新する
出荷管理サーバ。
【請求項６】
入荷日時に入荷された商品に取り付けられるＲＦＩＤタグに記録される検索商品識別番号を出荷管理サーバに送信し、前記検索商品識別番号に基づいて生成される出荷場所と出荷日時とを前記出荷管理サーバから受信するネットワーク通信部と、
出荷場所集合の要素を配送所要時間集合の要素に対応付ける場所−配送時間対応表を参照して、前記出荷日時から前記入荷日時までの配送時間と前記配送所要時間集合のうちの前記出荷場所に対応する配送所要時間との大小関係に基づいて前記商品の真贋を判定する出荷データ検索部
とを具備する入荷管理サーバ。
【請求項７】
商品に取り付けられるＲＦＩＤタグに記録される検索商品識別番号を出荷管理サーバに送信し、前記検索商品識別番号に対応する出荷データを前記出荷管理サーバが記録しているかどうかを示す検索結果を前記出荷管理サーバから受信するネットワーク通信部と、
前記出荷データを前記出荷管理サーバが記録していることを前記検索結果が示すときに、前記商品を偽造されたものでないと判定し、前記出荷データを前記出荷管理サーバが記録していないことを前記検索結果が示すときに、前記商品を偽造されたものであると判定する出荷データ検索部
とを具備する入荷管理サーバ。
【請求項８】
商品識別番号が記録されるＲＦＩＤタグが取り付けられる出荷商品を出荷するときに、出荷管理サーバが前記出荷商品に関する出荷データを生成し、前記商品識別番号に前記出荷データが対応するように、商品識別番号集合の要素を出荷データ集合の要素に対応付ける出荷データテーブルを更新するステップと、
前記入荷管理サーバが入荷日時に入荷された入荷商品に取り付けられるＲＦＩＤタグに記録される検索商品識別番号を前記出荷管理サーバに送信するステップと、
前記出荷管理サーバが前記検索商品識別番号を前記入荷管理サーバから受信したときに、前記出荷管理サーバが前記出荷データテーブルから前記検索商品識別番号を検索した検索結果を前記入荷管理サーバに送信するステップと、
前記入荷管理サーバが前記検索結果に基づいて前記入荷商品の真贋を判定するステップ
とを具備する偽造商品検知方法。
【請求項９】
請求項８において、
前記検索結果は、前記出荷データ集合のうちの前記検索商品識別番号に対応する検索出荷データの有無を示し、
前記入荷管理サーバは、前記検索結果が前記検索出荷データがないことを示すときに前記入荷商品が贋物であると判定する
偽造商品検知方法。
【請求項１０】
請求項８において、
前記検索結果は、前記出荷データ集合のうちの前記検索商品識別番号に対応する検索出荷データを示し、
前記検索出荷データは、
前記入荷商品が出荷された出荷場所と、
前記入荷商品が出荷された出荷日時とを示し、
前記入荷管理サーバは、出荷場所集合の要素を配送所要時間集合の要素に対応付ける場所−配送時間対応表を参照して、前記出荷日時から前記入荷日時までの配送時間と前記配送所要時間集合のうちの前記出荷場所に対応する配送所要時間との大小関係に基づいて前記入荷商品の真贋を判定する
偽造商品検知方法。
【請求項１１】
請求項８において、
前記出荷データテーブルは、前記商品識別番号集合の要素に第１情報または第２情報のうちの一方を更に対応付け、
前記検索結果は、前記第１情報または前記第２情報のうちの前記検索商品識別番号に対応する一方を示し、
前記出荷管理サーバが、前記入荷商品を出荷するときに、前記商品識別番号に前記第２情報が対応するように前記出荷データテーブルを更新し、前記商品識別番号集合から前記検索商品識別番号を検索したときに、前記検索商品識別番号に前記第１情報が対応するように、前記出荷データテーブルを更新し、
前記入荷管理サーバは、前記検索結果が前記第１情報を示すときに前記入荷商品が贋物であると判定する
偽造商品検知方法。
【発明の詳細な説明】
【技術分野】
【０００１】
本発明は、偽造商品検知システムおよび偽造商品検知方法に関し、特に、ＲＦＩＤタグを用いて商品の真贋を判定する偽造商品検知システムおよび偽造商品検知方法に関する。
【背景技術】
【０００２】
無線通信を用いた自動認識技術として、ＲＦＩＤ（Ｒａｄｉｏ  Ｆｒｅｑｕｅｎｃｙ  Ｉｄｅｎｔｉｆｉｃａｔｉｏｎ）が知られている。ＲＦＩＤシステムは、一般的に、ＲＦＩＤタグ、ＲＦＩＤリーダライタから構成される。そのＲＦＩＤタグは、データ記憶手段を持ち、商品などに取付けられ、当該商品を識別するために用いられる。そのＲＦＩＤリーダライタは、ＲＦＩＤタグ内に記憶されるデータを読出したり、ＲＦＩＤタグ内の記憶手段に対してデータを書込むために用いられる。ＲＦＩＤタグには、一般的に、一意な識別番号が書込まれて、当該ＲＦＩＤタグが取付けられた商品などを個別に識別するために使用される。
【０００３】
その一意な識別番号としては、ＥＰＣ（Ｅｌｅｃｔｒｏｎｉｃ  Ｐｒｏｄｕｃｔ  Ｃｏｄｅ）が挙げられる。そのＥＰＣ１００は、図１に示されているように、ヘッダ部１０１とマネージャー番号部１０２とオブジェクトクラス部１０３とシリアル番号部１０４とから構成される。ヘッダ部１０１は、ＥＰＣ１００のビット長などを含めたＥＰＣ１００の内部構造を指定するために用いられている。マネージャー番号部１０２は、ＲＦＩＤタグが取付けられる商品の製造業者を識別するために用いられている。オブジェクトクラス部１０３は、ＲＦＩＤタグが取付けられる商品の当該製造業者における商品種別を識別するために用いられている。シリアル番号部１０４は、ＲＦＩＤタグが取付けられる商品の当該製造業者における当該商品種別において個々の商品を一意に識別するために用いられている。
【０００４】
このようなＲＦＩＤタグは、商品を一意に個別に識別可能であることや、非接触でのデータアクセスが可能であるという特徴を持つため、ビジネス上のさまざまなシーンでＲＦＩＤ技術の活用が拡がりつつある。その応用の一つとして偽造商品の検知がある。ＲＦＩＤを利用した偽造検知の方法としては、商品にＲＦＩＤタグを取付け、そのＲＦＩＤタグ内に書込まれている一意な識別番号を読出すことによって、その商品が偽造されたものであるか否かを検知する手法が例示される。しかしながら、本方法は、ＲＦＩＤタグそのものの偽造が困難である、つまり、あるＲＦＩＤタグと同一の識別番号を持つＲＦＩＤタグの複製を作成することが困難であるという前提に基づいている。すなわち、ＲＦＩＤタグ内の一意な識別番号は、ＲＦＩＤタグの製造業者がＲＦＩＤタグの出荷前もしくは出荷時にあらかじめ書込むものであって、ＲＦＩＤタグの利用者が当該ＲＦＩＤタグを購入後、自分でＲＦＩＤタグに識別番号を書込むことはできない、という前提である。
【０００５】
ＲＦＩＤタグの製造業者がＲＦＩＤタグの出荷前もしくは出荷時に一意な識別番号を書込むことはなく、ＲＦＩＤタグの利用者（すなわち、ＲＦＩＤタグが取付けられる製品の製造業者など）がＲＦＩＤタグを購入後、自分で一意な識別番号を書込むことができるＲＦＩＤタグが知られている。このようなＲＦＩＤタグとしては、ＥＰＣｇｌｏｂａｌ  ＵＨＦ  Ｃｌａｓｓ  １  Ｇｅｎｅｒａｔｉｏｎ  ２タグが例示され、流通分野などでの採用が急速に進んでいる。このようなＲＦＩＤタグを用いる場合、同一の識別番号を持つＲＦＩＤタグを複数個複製することが容易であるため、ＲＦＩＤタグを商品の偽造検知に用いることが困難となってしまう問題がある。
【０００６】
ＥＰＣｇｌｏｂａｌ  ＵＨＦ  Ｃｌａｓｓ  １  Ｇｅｎｅｒａｔｉｏｎ  ２タグを用いる場合、ＲＦＩＤタグ内に書込まれる商品識別番号としては、ＥＰＣを用いることが一般的である。ＥＰＣを商品識別番号として使用している場合、マネージャー番号部およびオブジェクトクラス部に格納される値、すなわち、当該商品の製造業者および商品種別を示す番号を知ることは一般的に容易である。したがって、ある製品製造業者のある商品に対応する商品識別番号を持つＲＦＩＤタグを不正に作成することは容易である。ＲＦＩＤタグの購入者（すなわち、ＲＦＩＤタグを取付ける製品の製造業者など）が自分で一意な識別番号を管理できる、という利便性を損なわないような、ＲＦＩＤタグを用いた偽造商品の検知システムが望まれている。
【０００７】
【特許文献１】特開２０００−１４８９５０号公報
【特許文献２】特開２００１−２８３０１１号公報
【特許文献３】特開２００２−１４５４１６号公報
【特許文献４】特開２００６−２２２５８８号公報
【特許文献５】特開平０４−１３０５７３号公報
【発明の開示】
【発明が解決しようとする課題】
【０００８】
本発明の課題は、商品識別番号を利用者が書き込むことができるＲＦＩＤタグを用いて商品の真贋を判定する偽造商品検知システムおよび偽造商品検知方法を提供することにある。
【課題を解決するための手段】
【０００９】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１０】
本発明による偽造商品検知システム（１）は、商品識別番号が記録されるＲＦＩＤタグ（１４）が取り付けられる出荷商品（１２）を出荷するときに、出荷商品（１２）に関する出荷データを生成し、商品識別番号に出荷データが対応するように、商品識別番号集合（３４）の要素を出荷データ集合（３５）の要素に対応付ける出荷データテーブル（２６）を更新する出荷管理サーバ（２）と、入荷日時に入荷された入荷商品に取り付けられるＲＦＩＤタグ（１７）に記録される検索商品識別番号を出荷管理サーバ（２）に送信する入荷管理サーバ（３）とを備えている。出荷管理サーバ（２）は、検索商品識別番号を入荷管理サーバ（３）から受信したときに、出荷データテーブル（２６）から検索商品識別番号を検索した検索結果を入荷管理サーバ（３）に送信する。入荷管理サーバ（３）は、検索結果に基づいて商品の真贋を判定する。
【００１１】
本発明による出荷管理サーバ（２）は、商品識別番号が記録されるＲＦＩＤタグ（１４）が取り付けられる商品（１２）を出荷するときに、商品（１２）に関する出荷データを生成する出荷データ生成部（２２）と、商品識別番号に出荷データが対応するように、商品識別番号集合（３４）の要素を出荷データ集合（３５）の要素に対応付ける出荷データテーブル（２６）を更新する出荷データ格納部（２３）と、検索商品識別番号を入荷管理サーバ（３）から受信するネットワーク通信部（２４）とを備えている。出荷データ格納部（２３）は、出荷データテーブル（２６）から検索商品識別番号を検索した検索結果を生成する。ネットワーク通信部（２４）は、検索結果を入荷管理サーバ（３）に送信する。
【００１２】
その検索結果は、出荷データ集合（３５）のうちの検索商品識別番号に対応する検索出荷データの有無を示している。
【００１３】
その検索結果は、出荷データ集合（３５）のうちの検索商品識別番号に対応する検索出荷データを示している。出荷データは、商品（１２）が出荷された出荷場所と、商品（１２）が出荷された出荷日時とを示している。
【００１４】
出荷データテーブル（２６）は、商品識別番号集合（３４）の要素に第１情報（ｔｒｕｅ）または第２情報（ｆａｌｓｅ）のうちの一方をさらに対応付けている。その検索結果は、第１情報（ｔｒｕｅ）または第２情報（ｆａｌｓｅ）のうちの検索商品識別番号に対応する一方を示している。出荷データ格納部（２３）は、商品を出荷するときに、商品識別番号に第２情報（ｆａｌｓｅ）が対応するように、出荷データテーブル（２６）を更新する。商品識別番号集合（３４）から検索商品識別番号を検索したときに、検索商品識別番号に第１情報（ｔｒｕｅ）が対応するように、出荷データテーブル（２６）を更新する。
【００１５】
本発明による入荷管理サーバ（３）は、入荷日時に入荷された商品（１６）に取り付けられるＲＦＩＤタグ（１７）に記録される検索商品識別番号を出荷管理サーバ（２）に送信し、検索商品識別番号に基づいて生成される出荷場所と出荷日時とを出荷管理サーバ（２）から受信するネットワーク通信部（４３）と、出荷場所集合（４７）の要素を配送所要時間集合（４８）の要素に対応付ける場所−配送時間対応表（４４）を参照して、出荷日時から入荷日時までの配送時間と配送所要時間集合のうちの出荷場所に対応する配送所要時間との大小関係に基づいて商品（１６）の真贋を判定する出荷データ検索部（４２）とを備えている。
【００１６】
本発明による入荷管理サーバ（３）は、商品（１６）に取り付けられるＲＦＩＤタグ（１７）に記録される検索商品識別番号を出荷管理サーバ（２）に送信し、検索商品識別番号に対応する出荷データを出荷管理サーバ（２）が記録しているかどうかを示す検索結果を出荷管理サーバ（２）から受信するネットワーク通信部（４３）と、その出荷データを出荷管理サーバ（２）が記録していることをその検索結果が示すときに、商品（１６）を偽造されたものでないと判定し、その出荷データを出荷管理サーバ（２）が記録していないことをその検索結果が示すときに、商品（１６）を偽造されたものであると判定する出荷データ検索部（４２）とを備えている。
【００１７】
本発明による偽造商品検知方法は、商品識別番号が記録されるＲＦＩＤタグ（１４）が取り付けられる出荷商品（１２）を出荷するときに、出荷管理サーバ（２）が出荷商品（１２）に関する出荷データを生成し、商品識別番号に出荷データが対応するように、商品識別番号集合（３４）の要素を出荷データ集合（３５）の要素に対応付ける出荷データテーブル（２６）を更新するステップ（Ｓ１〜Ｓ８）と、入荷管理サーバ（３）が入荷日時に入荷された入荷商品（１６）に取り付けられるＲＦＩＤタグ（１４）に記録される検索商品識別番号を出荷管理サーバ（２）に送信するステップ（Ｓ１１〜Ｓ１５）と、出荷管理サーバ（２）が検索商品識別番号を入荷管理サーバ（３）から受信したときに、出荷管理サーバ（２）が出荷データテーブル（２６）から検索商品識別番号を検索した検索結果を入荷管理サーバ（３）に送信するステップ（Ｓ１６〜２０）と、入荷管理サーバ（３）が検索結果に基づいて入荷商品（１６）の真贋を判定するステップ（Ｓ２〜Ｓ２６）とを備えている。
【００１８】
その検索結果は、出荷データ集合（３５）のうちの検索商品識別番号に対応する検索出荷データの有無を示している。入荷管理サーバ（３）は、検索結果が検索出荷データがないことを示しているときに入荷商品が贋物であると判定する。
【００１９】
その検索結果は、出荷データ集合（３５）のうちの検索商品識別番号に対応する検索出荷データを示している。検索出荷データは、入荷商品（１６）が出荷された出荷場所と、入荷商品（１６）が出荷された出荷日時とを示している。入荷管理サーバ（３）は、出荷場所集合（４７）の要素を配送所要時間集合（４８）の要素に対応付ける場所−配送時間対応表（４４）を参照して、出荷日時から入荷日時までの配送時間と配送所要時間集合（４８）のうちの出荷場所に対応する配送所要時間との大小関係に基づいて入荷商品（１６）の真贋を判定する。
【００２０】
出荷データテーブル（２６）は、商品識別番号集合（３４）の要素に第１情報（ｔｒｕｅ）または第２情報（ｆａｌｓｅ）のうちの一方をさらに対応付けている。検索結果は、第１情報（ｔｒｕｅ）または第２情報（ｆａｌｓｅ）のうちの検索商品識別番号に対応する一方を示している。出荷管理サーバ（２）が、入荷商品（１６）を出荷するときに、商品識別番号に第２情報（ｆａｌｓｅ）が対応するように出荷データテーブル（２６）を更新し、商品識別番号集合（３４）から検索商品識別番号を検索したときに、検索商品識別番号に第１情報（ｔｒｕｅ）が対応するように、出荷データテーブル（２６）を更新する。入荷管理サーバ（３）は、検索結果が第１情報（ｔｒｕｅ）を示しているときに入荷商品（１６）が贋物であると判定する。
【発明の効果】
【００２１】
本発明による偽造商品検知システムおよび偽造商品検知方法は、商品識別番号を利用者が書き込むことができるＲＦＩＤタグを用いて商品の真贋を判定することができる。
【発明を実施するための最良の形態】
【００２２】
図面を参照して、本発明による偽造商品検知システムの実施の形態を記載する。その偽造商品検知システム１は、図２に示されているように、出荷管理サーバ２と入荷管理サーバ３とがネットワーク５を介して双方向に情報伝達可能に接続されている。ネットワーク５としては、インターネット、専用回線が例示される。出荷管理サーバ２は、偽造商品検知システム１に複数が設けられ、入荷管理サーバ３は、偽造商品検知システム１に複数が設けられている。
【００２３】
出荷管理サーバ２は、製造業者６により使用される。製造業者６は、商品１２を製造し、商品１２を販売業者７に出荷するビジネスを行う主体である。商品１２は、ＲＦＩＤタグ１４が埋め込まれている。ＲＦＩＤタグ１４は、商品１２に埋め込まれること以外の方法を用いて、商品１２に取り付けられることもできる。たとえば、ＲＦＩＤタグ１４は、商品１２に貼り付けられることもできる。ＲＦＩＤタグ１４は、商品１２を識別する商品識別番号を記録している。その商品識別番号は、ＥＰＣであり、すなわち、ヘッダ部とマネージャー番号部とオブジェクトクラス部とシリアル番号部とから構成される。そのヘッダ部は、ＥＰＣのビット長などを含めたＥＰＣの内部構造を指定する情報を示している。そのマネージャー番号部は、製造業者６を識別する情報を示している。そのオブジェクトクラス部は、製造業者６における商品１２の商品種別を識別する情報を示している。そのシリアル番号部は、そのオブジェクトクラス部により識別される商品種別において個々の商品を一意に識別する情報を示している。ＲＦＩＤタグ１４は、外部から送信される電波を受信したときに、その電波から得られる電力を用いて、その電波に基づいてその商品識別番号を更新し、または、その商品識別番号を示す電波を返信する。このようなＲＦＩＤタグ１４としては、ＥＰＣｇｌｏｂａｌ  ＵＨＦ  Ｃｌａｓｓ  １  Ｇｅｎｅｒａｔｉｏｎ  ２  タグが例示される。製造業者６は、さらに、ＲＦＩＤリーダライタ１１を備えている。ＲＦＩＤリーダライタ１１は、リーダ識別子が記録されている。そのリーダ識別子は、ＲＦＩＤリーダライタ１１を他のＲＦＩＤリーダライタから区別している。ＲＦＩＤリーダライタ１１は、ＲＦＩＤタグ１４と無線通信してＲＦＩＤタグ１４に記録されている商品識別番号を読み出し、ＲＦＩＤデータを生成する。そのＲＦＩＤデータは、そのリーダ識別子とその商品識別番号と出荷日時とを示している。その出荷日時は、ＲＦＩＤリーダライタ１１がＲＦＩＤタグ１４と無線通信してＲＦＩＤタグ１４に記録されている商品識別番号を読み出した日時を示している。ＲＦＩＤリーダライタ１１は、さらに、ユーザの操作に応答して、ＲＦＩＤタグ１４と無線通信してそのユーザにより入力された情報をＲＦＩＤタグ１４に記録する。
【００２４】
入荷管理サーバ３は、販売業者７により使用される。販売業者７は、製造業者６から商品１６を入荷し、商品１６を消費者に販売するビジネスを行う主体である。商品１６は、商品１２と同様にして、ＲＦＩＤタグ１７が取り付けられている。ＲＦＩＤタグ１７は、ＲＦＩＤタグ１４と同様にして、商品１６を識別する商品識別番号を記録し、外部から送信される電波を受信したときに、その電波から得られる電力を用いて、その電波に基づいてその商品識別番号を更新し、または、その商品識別番号を示す電波を返信する。販売業者７は、さらに、ＲＦＩＤリーダライタ１５を備えている。ＲＦＩＤリーダライタ１５は、ＲＦＩＤタグ１７と無線通信してＲＦＩＤタグ１７に記録されている商品識別番号を読み出し、その商品識別番号を示すＲＦＩＤデータを入荷管理サーバ３に出力する。ここで、商品１６は、商品１２と同じものである（このとき、ＲＦＩＤタグ１７は、ＲＦＩＤタグ１４と同じものである。）が、本明細書中では、便宜的に異なる符合が付けられている。
【００２５】
出荷管理サーバ２は、コンピュータであり、図示されていないＣＰＵと記憶装置と入力装置と出力装置とを備えている。そのＣＰＵは、出荷管理サーバ２にインストールされるコンピュータプログラムを実行して、その記憶装置と入力装置と出力装置と通信装置とＲＦＩＤリーダライタ１１とを制御する。その記憶装置は、そのコンピュータプログラムを記録し、そのＣＰＵにより生成される情報を一時的に記録する。その入力装置は、ユーザにより操作されて情報を生成し、その情報をそのＣＰＵに出力する。その出力装置は、ディスプレイを備え、そのＣＰＵにより生成される画面をそのディスプレイに表示する。その通信装置は、ネットワーク５を介してそのＣＰＵにより生成された情報を他の情報処理装置に送信し、または、ネットワーク５を介して他の情報処理装置から送信された情報をそのＣＰＵに出力する。
【００２６】
図３は、出荷管理サーバ２を示している。出荷管理サーバ２は、コンピュータプログラムであるＲＦＩＤデータ受信部２１と出荷データ生成部２２と出荷データ格納部２３とネットワーク通信部２４とがインストールされている。
【００２７】
ＲＦＩＤデータ受信部２１は、ＲＦＩＤタグ１４に記録されている商品識別番号をＲＦＩＤリーダライタ１１が検出したときにＲＦＩＤリーダライタ１１により生成されたＲＦＩＤデータをＲＦＩＤリーダライタ１１から受信する。
【００２８】
出荷データ生成部２２は、リーダ−場所対応表２５を記憶装置に記録している。出荷データ生成部２２は、リーダ−場所対応表２５を参照して、ＲＦＩＤデータ受信部２１により受信されたＲＦＩＤデータに基づいて出荷データを生成する。
【００２９】
出荷データ格納部２３は、出荷データテーブル２６を記憶装置に記録している。出荷データ格納部２３は、ＲＦＩＤデータ受信部２１により受信されたＲＦＩＤデータと出荷データ生成部２２により生成された出荷データとに基づいて出荷データテーブル２６を更新する。出荷データ格納部２３は、さらに、出荷データテーブル２６を参照して、ネットワーク通信部２４により受信された検索要求に基づいて検索結果を生成する。
【００３０】
ネットワーク通信部２４は、ネットワーク５を介して、入荷管理サーバ３から検索要求を受信する。ネットワーク通信部２４は、その検索要求を受信したときに、出荷データ格納部２３により生成される検索結果を入荷管理サーバ３に返信する。
【００３１】
図４は、リーダ−場所対応表２５を示している。リーダ−場所対応表２５は、リーダ識別子３１を場所識別子３２に対応付けている。すなわち、リーダ識別子３１からなる集合のうちの任意の要素は、場所識別子３２からなる集合のうちの１つの要素に対応している。リーダ識別子３１は、ＲＦＩＤリーダライタを識別し、ＲＦＩＤリーダライタに記録されているリーダ識別子を示している。場所識別子３２は、場所を識別し、リーダ識別子３１により識別されるＲＦＩＤリーダライタが配置される場所を示している。
【００３２】
このとき、出荷データ生成部２２は、ＲＦＩＤデータ受信部２１によりＲＦＩＤデータが受信されたときに、リーダ−場所対応表２５を参照して、そのＲＦＩＤデータが示すリーダ識別子に対応する場所識別子を場所識別子３２の集合のうちから算出し、出荷データを生成する。その出荷データは、その場所識別子と出荷日時と入荷確認フラグとを示している。その出荷日時は、そのＲＦＩＤデータが示す出荷日時を示している。その入荷確認フラグは、ｆａｌｓｅを示している。
【００３３】
図５は、出荷データテーブル２６を示している。出荷データテーブル２６は、商品識別番号３４を出荷データ３５に対応付けている。すなわち、商品識別番号３４からなる集合のうちの任意の要素は、出荷データ３５からなる集合のうちの１つの要素に対応している。商品識別番号３４は、商品を識別し、その商品に割り当てられる商品識別番号を示し、すなわち、その商品に埋め込まれるＲＦＩＤタグに記録される商品識別番号を示している。出荷データ３５は、商品識別番号３４により識別される商品に関する情報を示し、出荷日時３６と出荷場所３７と入荷確認フラグ３８とを示している。出荷日時３６は、商品識別番号３４により識別される商品が出荷される出荷日時を示している。出荷場所３７は、商品識別番号３４により識別される商品が出荷される場所を示し、商品識別番号３４により識別される商品が出荷されるときにその商品に埋め込まれるＲＦＩＤタグから商品識別番号を検出したＲＦＩＤリーダライタが配置される場所を示し、出荷データ生成部２２により生成される出荷データが示す場所識別子を示している。入荷確認フラグ３８は、ｔｒｕｅまたはｆａｌｓｅの一方を示している。
【００３４】
このとき、出荷データ格納部２３は、ＲＦＩＤデータ受信部２１によりＲＦＩＤデータが受信されたときに、そのＲＦＩＤデータに応答して出荷データ生成部２２により生成された出荷データがそのＲＦＩＤデータが示す商品識別番号に対応するように、出荷データテーブル２６を更新する。
【００３５】
出荷データ格納部２３は、さらに、ネットワーク通信部２４により検索要求が受信されたときに、出荷データテーブル２６を参照して、商品識別番号３４の集合のうちからその検索要求が示す商品識別番号を検索して検索結果を生成する。その検索結果は、商品識別番号３４の集合のうちにその商品識別番号がないときに、対応する出荷データがないことを示し、商品識別番号３４の集合のうちにその商品識別番号があるときに、出荷データ３５からなる集合のうちからその検索要求が示す商品識別番号に対応する出荷データを示している。出荷データ格納部２３は、商品識別番号３４の集合のうちにその商品識別番号があるときに、さらに、入荷確認フラグ３８からなる集合のうちのその商品識別番号に対応する入荷確認フラグがｔｒｕｅを示すように、出荷データテーブル２６を更新する。
【００３６】
入荷管理サーバ３は、コンピュータであり、図示されていないＣＰＵと記憶装置と入力装置と出力装置とを備えている。そのＣＰＵは、入荷管理サーバ３にインストールされるコンピュータプログラムを実行して、その記憶装置と入力装置と出力装置と通信装置とＲＦＩＤリーダライタ１５とを制御する。その記憶装置は、そのコンピュータプログラムを記録し、そのＣＰＵにより生成される情報を一時的に記録する。その入力装置は、ユーザにより操作されて情報を生成し、その情報をそのＣＰＵに出力する。その出力装置は、ディスプレイを備え、そのＣＰＵにより生成される画面をそのディスプレイに表示する。その通信装置は、ネットワーク５を介してそのＣＰＵにより生成された情報を他の情報処理装置に送信し、または、ネットワーク５を介して他の情報処理装置から送信された情報をそのＣＰＵに出力する。
【００３７】
図６は、入荷管理サーバ３を示している。入荷管理サーバ３は、コンピュータプログラムであるＲＦＩＤデータ受信部４１と出荷データ検索部４２とネットワーク通信部４３とがインストールされている。
【００３８】
ＲＦＩＤデータ受信部４１は、ＲＦＩＤリーダライタ１５を用いてＲＦＩＤタグ１７に記録されている商品識別番号を検出し、ＲＦＩＤリーダライタ１５により生成されたＲＦＩＤデータをＲＦＩＤリーダライタ１５から受信する。
【００３９】
出荷データ検索部４２は、場所−配送時間対応表４４を記憶装置に記録している。出荷データ検索部４２は、ＲＦＩＤデータ受信部４１によりＲＦＩＤデータが受信されたときに、そのＲＦＩＤデータに基づいて検索要求を生成する。その検索要求は、そのＲＦＩＤデータが示す商品識別番号を示している。出荷データ検索部４２は、さらに、ネットワーク通信部４３により検索結果が受信されたときに、その検索結果に基づいて商品１６の真贋を判定し、判定結果をディスプレイに表示する。このとき、出荷データ検索部４２は、検索結果が出荷データがないことを示すときに、商品１６が偽造されたものであると判定する。出荷データ検索部４２は、検索結果が出荷データを示すときに、場所−配送時間対応表４４を参照して、その出荷データに基づいて商品１６の真贋を判定する。
【００４０】
ネットワーク通信部４３は、ＲＦＩＤデータ受信部４１により検出された商品識別番号のマネージャー番号部に基づいて製造業者６の出荷管理サーバ２を特定し、ネットワーク５を介して出荷データ検索部４２により生成された検索要求を出荷管理サーバ２に送信する。ネットワーク通信部４３は、さらに、その検索要求に応答して出荷管理サーバ２により生成された検索結果を出荷管理サーバ２から受信する。
【００４１】
図７は、場所−配送時間対応表４４を示している。場所−配送時間対応表４４は、出荷場所４７を配送所要時間４８に対応付けている。すなわち、出荷場所４７からなる集合のうちの任意の要素は、配送所要時間４８からなる集合のうちの１つの要素に対応している。出荷場所４７は、出荷場所を識別し、ＲＦＩＤリーダライタが配置される出荷場所を示し、リーダ−場所対応表２５の場所識別子３２と同じ形式で表現されている。配送所要時間４８は、出荷場所４７により識別される出荷場所からＲＦＩＤリーダライタ１５が配置される場所に商品を配送するときに必要である配送所要時間を示している。すなわち、場所−配送時間対応表４４は、配置される場所が異なるＲＦＩＤリーダライタごとに複数が作成される。
【００４２】
このとき、出荷データ検索部４２は、ネットワーク通信部４３により検索結果が受信された場合で、その検索結果が出荷データを示すときに、場所−配送時間対応表４４を参照して、商品１６の真贋を判定する。すなわち、出荷データ検索部４２は、ネットワーク通信部４３により検索結果が受信された場合で、その検索結果が出荷データを示すときに、場所−配送時間対応表４４を参照して、出荷場所４７の集合のうちからその出荷データが示す出荷場所を検索する。出荷データ検索部４２は、出荷場所４７の集合のうちにその出荷場所がないときに、商品１６が偽造されたものであると判定する。出荷データ検索部４２は、出荷場所４７の集合のうちにその出荷場所がある場合で、その出荷データが示す入荷確認フラグがｔｒｕｅを示しているときに、商品１６が偽造されたものであると判定する。出荷データ検索部４２は、出荷場所４７の集合のうちにその出荷場所がある場合で、その出荷データが示す入荷確認フラグがｆａｌｓｅを示しているときに、場所−配送時間対応表４４を参照して、配送所要時間４８の集合のうちからその出荷場所に対応する配送所要時間を算出する。出荷データ検索部４２は、その出荷データが示す出荷日時から商品１６が入荷された入荷日時（すなわち、現在の日時）までの配送時間がその配送所要時間より大きいときに、商品１６が偽造されたものであると判定する。出荷データ検索部４２は、その配送時間がその配送所要時間より小さいときに、商品１６が偽造されたものでないと判定する。
【００４３】
本発明による偽造商品検知方法の実施の形態は、偽造商品検知システム１により実行され、商品を出荷する動作と商品を入荷する動作とを備えている。
【００４４】
図８は、その商品を出荷する動作を示している。製造業者６は、商品１２を製造するときに、商品１２にＲＦＩＤタグ１４を取り付け、ＲＦＩＤリーダライタ１１を用いて商品１２を識別する商品識別番号をＲＦＩＤタグ１４に記録させる。製造業者６は、商品１２を出荷するときに、ＲＦＩＤリーダライタ１１を用いてＲＦＩＤタグ１４から商品識別番号を検出する。ＲＦＩＤリーダライタ１１は、ユーザの操作に応答して、ＲＦＩＤタグ１４と無線通信してＲＦＩＤタグ１４に記録されている商品識別番号を読み出してＲＦＩＤデータを生成する。ＲＦＩＤデータ受信部２１は、ＲＦＩＤリーダライタ１１がＲＦＩＤタグ１４に記録されている商品識別番号を検出したときに、そのＲＦＩＤデータをＲＦＩＤリーダライタ１１から受信する（ステップＳ１）。
【００４５】
出荷データ生成部２２は、ＲＦＩＤデータ受信部２１からＲＦＩＤデータを受信すると（ステップＳ２、Ｓ３）、リーダ−場所対応表２５を参照して（ステップＳ４）、そのＲＦＩＤデータが示すリーダ識別子に対応する場所識別子を場所識別子３２の集合のうちから算出し、出荷データを生成する（ステップＳ５）。その出荷データは、その場所識別子と出荷日時と入荷確認フラグとを示している。その出荷日時は、そのＲＦＩＤデータが示す出荷日時を示している。その入荷確認フラグは、ｆａｌｓｅを示している。
【００４６】
出荷データ格納部２３は、出荷データ生成部２２により生成された出荷データを受信すると（ステップＳ６、Ｓ７）、ＲＦＩＤデータ受信部２１により受信されたＲＦＩＤデータが示す商品識別番号に出荷データ生成部２２により生成された出荷データが対応するように、出荷データテーブル２６を更新する（ステップＳ８）。
【００４７】
図９は、その商品を入荷する動作を示している。販売業者７は、商品１６を入荷したときに、ＲＦＩＤリーダライタ１５を用いて商品１６に取り付けられているＲＦＩＤタグ１７から商品識別番号を検出する。ＲＦＩＤリーダライタ１５は、ユーザの操作に応答して、ＲＦＩＤタグ１７と無線通信してＲＦＩＤタグ１７に記録されている商品識別番号を読み出してＲＦＩＤデータを生成する。入荷管理サーバ３のＲＦＩＤデータ受信部４１は、ＲＦＩＤタグ１７に記録されている商品識別番号をＲＦＩＤリーダライタ１５が検出したときに、ＲＦＩＤリーダライタ１５により生成されたＲＦＩＤデータをＲＦＩＤリーダライタ１５から受信する（ステップＳ１１）。
【００４８】
出荷データ検索部４２は、ＲＦＩＤデータ受信部４１によりＲＦＩＤデータが受信されたときに（ステップＳ１２、Ｓ１３）、そのＲＦＩＤデータに基づいて検索要求を生成する（ステップＳ１４）。その検索要求は、そのＲＦＩＤデータが示す商品識別番号を示している。ネットワーク通信部４３は、ネットワーク５を介してその検索要求を出荷管理サーバ２に送信する（ステップＳ１５）。
【００４９】
出荷管理サーバ２の出荷データ格納部２３は、ネットワーク通信部２４により入荷管理サーバ３から検索要求を受信すると（ステップＳ１６）、出荷データテーブル２６を参照して、商品識別番号３４の集合のうちからその検索要求が示す商品識別番号を検索して（ステップＳ１７、Ｓ１８）、検索結果を生成する。その検索結果は、商品識別番号３４の集合のうちにその商品識別番号がないときに、対応する出荷データがないことを示し、商品識別番号３４の集合のうちにその商品識別番号があるときに、出荷データ３５からなる集合のうちからその検索要求が示す商品識別番号に対応する出荷データを示している。出荷データ格納部２３は、商品識別番号３４の集合のうちにその商品識別番号があるときに、さらに、入荷確認フラグ３８からなる集合のうちのその商品識別番号に対応する入荷確認フラグがｔｒｕｅを示すように、出荷データテーブル２６を更新する（ステップＳ２１）。ネットワーク通信部２４は、その検索結果を入荷管理サーバ３に返信する（ステップＳ２０）。
【００５０】
入荷管理サーバ３の出荷データ検索部４２は、ネットワーク通信部４３によりその検索結果を受信すると（ステップＳ２２）、その検索結果に基づいて商品１６の真贋を判定する。すなわち、出荷データ検索部４２は、検索結果が出荷データがないことを示すときに、商品１６が偽造されたものであると判定する。出荷データ検索部４２は、その検索結果が出荷データを示すときに、場所−配送時間対応表４４を参照して（ステップＳ２３）、出荷場所４７の集合のうちからその出荷データが示す出荷場所を検索する。出荷データ検索部４２は、出荷場所４７の集合のうちにその出荷場所がないときに、商品１６が偽造されたものであると判定する。出荷データ検索部４２は、出荷場所４７の集合のうちにその出荷場所がある場合で、その出荷データが示す入荷確認フラグがｔｒｕｅを示しているときに、商品１６が偽造されたものであると判定する。出荷データ検索部４２は、出荷場所４７の集合のうちにその出荷場所がある場合で、その出荷データが示す入荷確認フラグがｆａｌｓｅを示しているときに、配送所要時間４８の集合のうちからその出荷場所に対応する配送所要時間を算出する（ステップＳ２４）。出荷データ検索部４２は、商品１６が入荷された入荷日時からその出荷データが示す出荷日時までの配送時間がその配送所要時間より大きいときに、商品１６が偽造されたものであると判定する（ステップＳ２５）。出荷データ検索部４２は、その配送時間がその配送所要時間より等しいか小さいときに、商品１６が偽造されたものでないと判定する。出荷データ検索部４２は、その判定結果をディスプレイに表示する（ステップＳ２６）。
【００５１】
図１０は、製造業者６と異なる商品偽造者５１が偽造商品５２を製造する様子を示している。偽造商品５２は、偽造商品識別番号が記録されたＲＦＩＤタグ５３が取り付けられている。その偽造商品識別番号は、製造業者６により過去に出荷された商品を識別する商品識別番号と異なる無意味番号を示し、または、製造業者６により過去に出荷された商品を識別する商品識別番号に同一の重複番号を示している。
【００５２】
その偽造商品識別番号が無意味番号を示すときに、出荷データテーブル２６の商品識別番号３４の集合のうちにその偽造商品識別番号がない。このため、本発明による偽造商品検知方法によれば、検索結果は、出荷データテーブル２６の商品識別番号３４の集合のうちにその偽造商品識別番号がないことを示し、入荷管理サーバ３は、商品５２が偽造されたものであると判定することができる。
【００５３】
その偽造商品識別番号が重複番号を示すケースは、商品偽造者５１が正当な商品に取り付けられているＲＦＩＤタグの商品識別番号を読み取り、記憶しておいて、これを偽造商品用のＲＦＩＤタグ５３に書き込んで使用するケースが相当する。このとき、偽造商品５２は、その正当な商品が入荷される予定の日時より後の日時に入荷され、または、その正当な商品は、偽造商品検知システム１を用いて真贋が判定されている。このため、本発明による偽造商品検知方法によれば、入荷管理サーバ３は、商品５２が偽造されたものであると判定することができる。
【００５４】
すなわち、本発明による偽造商品検知方法によれば、情報を書き換えることができるＲＦＩＤタグを用いて商品の真贋を判定することができる。
【００５５】
本発明による偽造商品検知方法の実施の他の形態は、既述の実施の形態におけるステップ２５の動作が他の動作に置換されている。その動作によれば、出荷データ検索部４２は、検索結果が商品識別番号３４の集合に検索要求が示す商品識別番号ないことを示すときに、商品１６が偽造されたものであると判定し、検索結果が商品識別番号３４の集合に検索要求が示す商品識別番号があることを示すときに、商品１６が偽造されたものでないと判定する。
【００５６】
このような偽造商品検知方法によれば、ステップ２５を備える既述の実施の形態における偽造商品検知方法と同様にして、製造業者６により過去に出荷された商品を識別する商品識別番号と異なる無意味番号がＲＦＩＤタグに書き込まれているときに、その商品を贋物と判定することができ、情報を書き換えることができるＲＦＩＤタグを用いて商品の真贋を判定することができる。このような偽造商品検知方法によれば、さらに、偽造商品検知システム１は、場所−配送時間対応表４４を備える必要がなく、かつ、出荷データテーブル２６は、商品識別番号３４に出荷データ３５を対応付ける必要がなく、簡便に設計することができる。
【００５７】
本発明による偽造商品検知方法の実施のさらに他の形態は、既述の実施の形態におけるステップ２５の動作が他の動作に置換されている。その動作によれば、出荷データ検索部４２は、検索結果が出荷データがないことを示すときに、商品１６が偽造されたものであると判定する。出荷データ検索部４２は、その検索結果が出荷データを示すときに、場所−配送時間対応表４４を参照して、出荷場所４７の集合のうちからその出荷データが示す出荷場所を検索する。出荷データ検索部４２は、出荷場所４７の集合のうちにその出荷場所がないときに、商品１６が偽造されたものであると判定する。出荷データ検索部４２は、出荷場所４７の集合のうちにその出荷場所があるときに、配送所要時間４８の集合のうちからその出荷場所に対応する配送所要時間を算出する。出荷データ検索部４２は、商品１６が入荷された入荷日時からその出荷データが示す出荷日時までの配送時間がその配送所要時間より大きいときに、商品１６が偽造されたものであると判定する。
【００５８】
このような偽造商品検知方法によれば、ステップ２５を備える既述の実施の形態における偽造商品検知方法と同様にして、製造業者６により過去に出荷された商品を識別する商品識別番号と異なる無意味番号がＲＦＩＤタグに書き込まれているときに、または、製造業者６により過去に出荷された別の商品を識別する商品識別番号がＲＦＩＤタグに書き込まれているときに、その商品を贋物と判定することができ、情報を書き換えることができるＲＦＩＤタグを用いて商品の真贋を判定することができる。このような偽造商品検知方法によれば、さらに、偽造商品検知システム１は、出荷データテーブル２６に入荷確認フラグ３８を記録させる必要がなく、簡便に設計することができる。
【００５９】
本発明による偽造商品検知方法の実施のさらに他の形態は、既述の実施の形態におけるステップ２５の動作が他の動作に置換されている。その動作によれば、出荷データ検索部４２は、検索結果が出荷データがないことを示すときに、商品１６が偽造されたものであると判定する。出荷データ検索部４２は、その検索結果が出荷データを示すときに、その出荷データが示す入荷確認フラグがｔｒｕｅを示しているときに、商品１６が偽造されたものであると判定する。出荷データ検索部４２は、その出荷データが示す入荷確認フラグがｆａｌｓｅを示しているときに、商品１６が偽造されたものでないと判定する。
【００６０】
このような偽造商品検知方法によれば、ステップ２５を備える既述の実施の形態における偽造商品検知方法と同様にして、製造業者６により過去に出荷された商品を識別する商品識別番号と異なる無意味番号がＲＦＩＤタグに書き込まれているときに、その商品を贋物と判定することができ、情報を書き換えることができるＲＦＩＤタグを用いて商品の真贋を判定することができる。このような偽造商品検知方法によれば、さらに、偽造商品検知システム１は、場所−配送時間対応表４４を備える必要がなく、リーダ−場所対応表２５を備える必要がなく、出荷データテーブル２６に出荷日時３６と出荷場所３７とを記録させる必要がなく、簡便に設計することができる。
【図面の簡単な説明】
【００６１】
【図１】図１は、ＥＰＣの内部構造を示す図である。
【図２】図２は、本発明による偽造商品検知システムの実施の形態を示すブロック図である。
【図３】図３は、本発明による出荷管理サーバの実施の形態を示すブロック図である。
【図４】図４は、リーダ−場所対応表を示す表である。
【図５】図５は、出荷データテーブルを示す表である。
【図６】図６は、本発明による入荷管理サーバの実施の形態を示すブロック図である。
【図７】図７は、場所−配送時間対応表を示す表である。
【図８】図８は、商品を出荷する動作を示すフローチャートである。
【図９】図９は、商品を入荷する動作を示すフローチャートである。
【図１０】図１０は、商品偽造者が送付した偽造商品を販売業者が受け取った様子を示す図である。
【符号の説明】
【００６２】
１  ：偽造商品検知システム
２  ：出荷管理サーバ
３  ：入荷管理サーバ
５  ：ネットワーク
６  ：製造業者
７  ：販売業者
１１：ＲＦＩＤリーダライタ
１２：商品
１４：ＲＦＩＤタグ
１５：ＲＦＩＤリーダライタ
１６：商品
１７：ＲＦＩＤタグ
２１：ＲＦＩＤデータ受信部
２２：出荷データ生成部
２３：出荷データ格納部
２４：ネットワーク通信部
２５：リーダ−場所対応表
２６：出荷データテーブル
３１：リーダ識別子
３２：場所識別子
３４：商品識別番号
３５：出荷データ
３６：出荷日時
３７：出荷場所
３８：入荷確認フラグ
４１：ＲＦＩＤデータ受信部
４２：出荷データ検索部
４３：ネットワーク通信部
４４：場所−配送時間対応表
４７：出荷場所
４８：配送所要時間
５１：商品偽造者
５２：偽造商品
５３：ＲＦＩＤタグ
【図１】
2008234537.tif 000003
【図２】
2008234537.tif 000004
【図３】
2008234537.tif 000005
【図４】
2008234537.tif 000006
【図５】
2008234537.tif 000007
【図６】
2008234537.tif 000008
【図７】
2008234537.tif 000009
【図８】
2008234537.tif 000010
【図９】
2008234537.tif 000011
【図１０】
2008234537.tif 000012